(57)【要約】【課題】    吸着剤が担持された吸着熱交換器を有する調湿装置において、再生動作中に極端に低温の空気が吸着熱交換器を通過する際、吸着剤表面で結露水が凍結してしまうことを回避する。【解決手段】調湿装置（10）には、吸着剤を担持する吸着熱交換器（51,52）が接続された冷媒回路（50）が設けられる。調湿装置（10）の加湿運転時の再生動作中には、吸着熱交換器（51,52）において室外空気が冷媒の上流側から下流側に向かって流れる。このため、吸着熱交換器（51,52）の空気流入端で空気が効果的に昇温され、結露水の凍結は回避される。【選択図】図９
2006349294.tif 000002
【特許請求の範囲】
【請求項１】
熱媒体が流通する熱媒体回路（50）と、該熱媒体回路（50）に接続されて吸着剤を担持する吸着熱交換器（51,52）とを備え、
上記熱媒体回路（50）の熱媒体で吸着熱交換器（51,52）の吸着剤を加熱し、該吸着剤と空気とを接触させて吸着剤の水分を空気へ放出する再生動作を行う調湿装置であって、
上記吸着熱交換器（51,52）では、上記再生動作中に熱媒体の流入側から流出側に向かって空気が流れることを特徴とする調湿装置。
【請求項２】
請求項１において、
上記吸着熱交換器（51,52）の吸着剤を熱媒体で冷却し、該吸着剤と空気とを接触させて空気中の水分を吸着剤へ吸着させる吸着動作を行うように構成され、
吸着熱交換器（51,52）では、上記吸着動作中に熱媒体の流入側から流出側に向かって空気が流れることを特徴とする調湿装置。
【請求項３】
請求項１において、
上記吸着熱交換器（51,52）の吸着剤を熱媒体で冷却し、該吸着剤と空気とを接触させて空気中の水分を吸着剤へ吸着させる吸着動作を行うように構成され、
吸着熱交換器（51,52）では、上記吸着動作中に熱媒体の流出側から流入側に向かって空気が流れることを特徴とする調湿装置。
【請求項４】
請求項１から３の何れか１において、
上記熱媒体回路は、上記熱媒体としての冷媒を循環させて冷凍サイクルを行う冷媒回路（50）で構成されていることを特徴とする調湿装置。
【発明の詳細な説明】
【技術分野】
【０００１】
本発明は、吸着剤が担持された吸着熱交換器を有する調湿装置に関し、特に、吸着熱交換器の吸着剤と空気とを接触させて該吸着剤の再生動作を行う調湿装置に係るものである。
【背景技術】
【０００２】
従来より、空気中の水分を吸脱着して室内の調湿を行う調湿装置が知られている。
【０００３】
例えば特許文献１には、吸着剤を担持する吸着熱交換器が接続された冷媒回路を有する調湿装置が開示されている。この調湿装置の冷媒回路には、圧縮機、第１吸着熱交換器、膨張弁、第２吸着熱交換器、及び四方切換弁が接続されている。そして、この冷媒回路では、冷媒が循環して冷凍サイクルが行われる。上記２つの吸着熱交換器は、一方の吸着熱交換器が蒸発器として機能し、他方の吸着熱交換器が凝縮器として機能する。そして、蒸発器となる吸着熱交換器では、空気中の水分を吸着剤に吸着させる吸着動作が行われ、凝縮器となる吸着熱交換器では、吸着剤の水分を空気へ放出する再生動作が行われる。
【０００４】
具体的に、この調湿装置の加湿運転時には、室外空気が凝縮器となる吸着熱交換器を通過する。この吸着熱交換器では、冷媒によって吸着剤が加熱されており、吸着剤から水分が脱離して室外空気へ放出される。この再生動作によって加湿された空気は供給空気として室内へ供給され、室内の加湿が行われる。一方、室内空気は蒸発器となる吸着熱交換器を通過する。この吸着熱交換器では、冷媒によって吸着剤が冷却されており、空気中の水分は吸着剤に吸着される。この吸着動作によって吸着剤に水分を付与した空気は排出空気として室外へ排出される。
【０００５】
また、この調湿装置の除湿運転時には、室外空気が蒸発器となる吸着熱交換器を通過する。この吸着熱交換器では、冷媒によって吸着剤が冷却されており、空気中の水分は吸着剤に吸着される。この吸着動作によって除湿された空気は供給空気として室内へ供給され、この室内の除湿が行われる。一方、室内空気は凝縮器となる吸着熱交換器を通過する。この吸着熱交換器では、冷媒によって吸着剤が加熱されており、吸着剤から水分が脱離して空気へ放出される。この再生動作によって吸着剤の再生に利用された空気は排出空気として室外へ排出される。
【０００６】
この調湿装置では、空気通路をダンパで切り換えると同時に、冷媒回路の冷媒の循環方向を四方切換弁で切り換えることで、２つの吸着熱交換器で再生動作と吸着動作とが交互に繰り返し行われる。即ち、この調湿装置では、吸着剤の吸着能力や再生能力を損なうこと無く、調湿した空気が室内に連続供給される。
【特許文献１】特開２００４−２９４０４８号公報
【発明の開示】
【発明が解決しようとする課題】
【０００７】
上述のように、特許文献１の調湿装置の加湿運転では、凝縮器となる吸着熱交換器を室外空気が通過する。このため、例えば冬季において、極端に低温の室外空気がこの吸着熱交換器を通過すると、吸着熱交換器の周囲で結露した水分が吸着剤の表面で凍結してしまう恐れがある。吸着剤の表面で凍結した水分は、凝縮器となる吸着熱交換器を流れる冷媒によって加熱されて次第に融解することになるが、このように吸着剤表面で水分の凍結と融解とが繰り返されると、吸着剤が徐々に劣化してしまい、吸着熱交換器の表面から吸着剤が剥離してしまう恐れがある。
【０００８】
本発明は、かかる点に鑑みてなされたものであり、その目的は、吸着剤が担持された吸着熱交換器を有する調湿装置において、再生動作中に極端に低温の空気が吸着熱交換器を通過する際、吸着剤表面で結露水が凍結してしまうことを回避することである。
【課題を解決するための手段】
【０００９】
第１の発明は、熱媒体が流通する熱媒体回路（50）と、該熱媒体回路（50）に接続されて吸着剤を担持する吸着熱交換器（51,52）とを備え、上記熱媒体回路（50）の熱媒体で吸着熱交換器（51,52）の吸着剤を加熱し、該吸着剤と空気とを接触させて吸着剤の水分を空気へ放出する再生動作を行う調湿装置を前提としている。そして、この調湿装置の
吸着熱交換器（51,52）では、上記再生動作中に熱媒体の流入側から流出側に向かって空気が流れることを特徴とするものである。
【００１０】
第１の発明では、空気中の水分を吸脱着する吸着剤が吸着熱交換器（51,52）に担持される。この調湿装置の再生動作中には、吸着剤が熱媒体回路（50）を流れる熱媒体によって加熱される。加熱された吸着剤に空気が接触すると、吸着剤に吸着された水分が空気へ放出される。その結果、吸着剤の吸着能力が回復する一方、例えばこの空気が室内に供給されることで、室内の加湿が行われる。
【００１１】
ここで、上記再生動作中の吸着熱交換器（51,52）では、空気が熱媒体の流入側から流出側に向かって流れ、空気と熱媒体の流れがいわゆる並行流となる。このため、再生動作中の吸着熱交換器（51,52）では、空気流れの流入端の部分に比較的高温の熱媒体が流れる。つまり、吸着熱交換器（51,52）での空気流入端を流れる熱媒体は、いわゆる対向流の場合と比較して高温なる。このため、吸着熱交換器（51,52）の空気流入端において、空気が熱媒体によって効果的に昇温される。
【００１２】
第２の発明は、第１の発明において、上記吸着熱交換器（51,52）の吸着剤を熱媒体で冷却し、該吸着剤と空気とを接触させて空気中の水分を吸着剤へ吸着させる吸着動作を行うように構成され、吸着熱交換器（51,52）では、上記吸着動作中に熱媒体の流入側から流出側に向かって空気が流れることを特徴とするものである。
【００１３】
第２の発明の調湿装置の吸着動作中には、吸着熱交換器（51,52）の吸着剤に水分が吸着される。その際に生じた吸着熱は、熱媒体回路（50）を流れる熱媒体によって吸熱される。その結果、吸着剤に水分が蓄えられる一方、例えばこの空気が室内に供給されることで、室内の除湿が行われる。
【００１４】
ここで、上記吸着動作中の吸着熱交換器（51,52）では、空気が熱媒体の流入側から流出側に向かって流れ、空気と熱媒体とがいわゆる並行流となる。このため、吸着熱交換器（51,52）の空気流入端での空気と熱媒体との温度差は、空気と熱媒体とがいわゆる対向流の場合と比較して大きくなる。このため、吸着熱交換器（51,52）では、空気流入端において空気が効果的に低温化される。
【００１５】
第３の発明は、第１の発明において、上記吸着熱交換器（51,52）の吸着剤を熱媒体で冷却し、該吸着剤と空気とを接触させて空気中の水分を吸着剤へ吸着させる吸着動作を行うように構成され、吸着熱交換器（51,52）では、上記吸着動作中に熱媒体の流出側から流入側に向かって空気が流れることを特徴とするものである。
【００１６】
第３の発明では、吸着動作が行われる吸着熱交換器（51,52）において、空気が熱媒体の流入側から流出側に向かって流れ、空気と熱媒体とがいわゆる対向流となる。このため、吸着熱交換器（51,52）における空気の上流端から下流端までの全域に亘って、空気と熱媒体との間で温度差が確保される。その結果、吸着熱交換器（51,52）による空気の冷却効果が向上する。
【００１７】
第４の発明は、第１から第３の何れか１の発明において、上記熱媒体回路は、冷媒を循環させて冷凍サイクルを行う冷媒回路（50）で構成されていることを特徴とするものである。
【００１８】
第４の発明では、熱媒体回路としての冷媒回路（50）に吸着熱交換器（51,52）が接続される。この冷媒回路（50）では、冷媒が循環して冷凍サイクルが行われることで、吸着熱交換器（51,52）が凝縮器又は蒸発器として機能する。この調湿装置の再生動作中には、凝縮器となる吸着熱交換器（51,52）の冷媒で加熱された吸着剤と空気とが接触する。その結果、吸着剤に吸着された水分が空気へ放出される。また、この調湿装置の吸着動作中には、蒸発器となる吸着熱交換器（51,52）の冷媒で冷却された吸着剤と空気とが接触する。その結果、空気中の水分が吸着剤に吸着される。
【発明の効果】
【００１９】
本発明では、再生動作中の吸着熱交換器（51,52）において、熱媒体の流入側から流出側に向かって空気を流通させるようにしている。このため、本発明によれば、吸着熱交換器（51,52）の空気流入端において、空気を効果的に昇温することができる。このようにすると、例えば冬季に極端に低温の室外空気が吸着熱交換器（51,52）を通過する際にも、吸着熱交換器（51,52）の空気流入端で室外空気を比較的高い温度にすることができる。したがって、吸着熱交換器（51,52）の吸着剤表面で結露水が凍結してしまうのを未然に回避でき、吸着剤の劣化、及び吸着熱交換器（51,52）からの吸着剤の剥離を防ぐことができる。
【００２０】
上記第２の発明によれば、吸着動作中の吸着熱交換器（51,52）において、熱媒体の流入側から流出側に向かって空気を流通させるようにしている。このため、本発明によれば、吸着熱交換器（51,52）の空気流入端において、空気を効果的に低温化することができる。このようにすると、吸着熱交換器（51,52）の空気流入側で空気を露点温度以下として水分を結露させ、この空気の除湿を行うことができる。このため、この調湿装置の除湿能力を向上させることができる。したがって、吸着剤の除湿能力だけでは空気の除湿を充分行うことができない場合にも、水分を結露させて吸着剤の除湿能力の不足を補うことが可能となる。
【００２１】
上記第３の発明によれば、吸着動作中の吸着熱交換器（51,52）において、熱媒体の流出側から流入側に向かって空気を流通させるようにしている。このため、本発明によれば、吸着熱交換器（51,52）による空気の冷却効果を向上させることができる。したがって、吸着動作中の吸着熱交換器（51,52）において、空気を効果的に冷却しながら除湿することができ、例えば夏季の除湿運転時に室内を効果的に冷房することができる。
【００２２】
上記第４の発明によれば、熱媒体回路として冷凍サイクルを行う冷媒回路（50）を用いるようにしている。このため、吸着熱交換器（51,52）において、蒸発する冷媒で吸着剤を効果的に冷却でき、吸着剤の吸着能力を向上させることができる。また、凝縮する冷媒で吸着剤を効果的に加熱することができ、吸着剤の再生能力を向上させることができる。
【発明を実施するための最良の形態】
【００２３】
以下、本発明の実施形態を図面に基づいて詳細に説明する。
【００２４】
《発明の実施形態１》
本発明の実施形態１について説明する。本実施形態の調湿装置（10）は、空気の除湿と加湿とを行う調湿装置である。この調湿装置（10）は、いわゆる換気型の調湿装置であって、室外空気（OA）を調湿して室内へ供給すると同時に室内空気（RA）を室外に排出する。
【００２５】
〈調湿装置の全体構成〉
上記調湿装置（10）について、図１を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００２６】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２７】
上記ケーシング（11）は、やや扁平で高さが比較的低い直方体状に形成されている。このケーシング（11）では、図１における前側に前面パネル（12）が、同図における奥側に背面パネル（13）がそれぞれ立設されており、同図における前から奥へ向かう方向が長手方向となっている。
【００２８】
ケーシング（11）の前面パネル（12）では、左寄りの位置に排気口（21）が、右寄りの位置に給気口（22）がそれぞれ開口している。ケーシング（11）の背面パネル（13）には、左寄りの位置に外気吸込口（23）が、右寄りの位置に内気吸込口（24）がそれぞれ開口している。
【００２９】
上記ケーシング（11）の内部空間は、前面パネル（12）側の部分と背面パネル（13）側の部分とに区画されている。
【００３０】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００３１】
一方、上記ケーシング（11）内の背面パネル（13）側の空間は、ケーシング（11）内に立設された第１仕切板（16）及び第２仕切板（17）によって左右３つの空間に仕切られている。これら仕切板（16,17）は、背面パネル（13）からケーシング（11）の長手方向に沿って延びている。第１仕切板（16）はケーシング（11）の右側板寄りに、第２仕切板（17）はケーシング（11）の左側板寄りにそれぞれ配置されている。
【００３２】
上記ケーシング（11）内において、第１仕切板（16）の左側の空間は上下２つの空間に仕切られており、上側の空間が排気側流路（31）を、下側の空間が外気側流路（32）をそれぞれ構成している。排気側流路（31）は、排気ファン室（35）と連通している。外気側流路（32）は、外気吸込口（23）を介して室外空間と連通している。一方、右側の空間は上下２つの空間に仕切られており、上側の空間が給気側流路（33）を、下側の空間が内気側流路（34）をそれぞれ構成している。給気側流路（33）は、給気ファン室（36）と連通している。内気側流路（34）は、内気吸込口（24）を介して室内と連通している。
【００３３】
第１仕切板（16）と第２仕切板（17）との間の空間は、更に中央仕切板（18）によって前後２つの空間に仕切られている。そして、中央仕切板（18）の前側の空間が第１熱交換器室（37）を構成し、その後側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を前後方向へ横断するように配置されている。
【００３４】
上記第１仕切板（16）には、開閉式のダンパ（41〜44）が４つ設けられている。具体的に、第１仕切板（16）では、前面側の上部に第１ダンパ（41）が、背面側の上部に第２ダンパ（42）が、前面側の下部に第３ダンパ（43）が、背面側の下部に第４ダンパ（44）がそれぞれ取り付けられている。第１ダンパ（41）を開くと、排気側流路（31）と第１熱交換器室（37）が連通する。第２ダンパ（42）を開くと、排気側流路（31）と第２熱交換器室（38）が連通する。第３ダンパ（43）を開くと、外気側流路（32）と第１熱交換器室（37）が連通する。第４ダンパ（44）を開くと、外気側流路（32）と第２熱交換器室（38）が連通する。
【００３５】
上記第２仕切板（17）には、開閉式のダンパ（45〜48）が４つ設けられている。具体的に、第２仕切板（17）では、前面側の上部に第５ダンパ（45）が、背面側の上部に第６ダンパ（46）が、前面側の下部に第７ダンパ（47）が、背面側の下部に第８ダンパ（48）がそれぞれ取り付けられている。第５ダンパ（45）を開くと、給気側流路（33）と第１熱交換器室（37）が連通する。第６ダンパ（46）を開くと、給気側流路（33）と第２熱交換器室（38）が連通する。第７ダンパ（47）を開くと、内気側流路（34）と第１熱交換器室（37）が連通する。第８ダンパ（48）を開くと、内気側流路（34）と第２熱交換器室（38）が連通する。
【００３６】
〈冷媒回路の構成〉
上記冷媒回路（50）について、図２を参照しながら説明する。
【００３７】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。つまり、冷媒回路（50）は、熱媒体としての冷媒が流れる熱媒体回路を構成している。
【００３８】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００３９】
上記四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００４０】
図３に示すように、第１吸着熱交換器（51）及び第２吸着熱交換器（52）は、何れもクロスフィン型のフィン・アンド・チューブ熱交換器によって構成されている。これら吸着熱交換器（51,52）は、アルミニウム製のフィン（57）と銅製の伝熱管（58）とを備えている。上記フィン（57）は、それぞれが長方形板状に形成されている。各フィン（57）は、吸着熱交換器（51,52）を通過する空気流れと直交する方向に一定の間隔で並べられている。
【００４１】
上記伝熱管（58）は、各フィン（57）を貫通するように設けられている。この伝熱管（58）は、空気の流れ方向に２列で配列される第１伝熱管部（58a）と第２伝熱管部（58b）とで構成されている。各伝熱管部（58a,58b）は、各フィン（57）の複数箇所を貫通するように蛇行しており、直管の部分がフィン（57）の長手方向に並設されている。
【００４２】
上記第１伝熱管部（58a）の一端は、フィン（57）の右側下部に位置し、上記冷媒回路（50）の冷媒配管と接続している。一方、第１伝熱管部（58a）の他端は、フィン（57）の右側上部に位置している。上記第２伝熱管部（58b）の一端は、フィン（57）の左側上部に位置し、上記第１伝熱管部（58a）の他端と接続している。一方、第２伝熱管部（58b）の他端は、フィン（57）の左側下部に位置し、上記冷媒回路（50）の冷媒配管と接続している。
【００４３】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００４４】
以上のような構成の吸着熱交換器（51,52）は、第１伝熱管部（58a）側が上述の給気側流路（33）及び内気側流路（34）側に位置し、第２伝熱管部（58b）側が上述の排気側流路（31）及び外気側流路（32）側に位置するように各熱交換器室（37,38）に立設されている。
【００４５】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。
【００４６】
〈除湿運転〉
除湿運転中の調湿装置（10）では、給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。また、除湿運転中の調湿装置（10）では、第１動作と第２動作が所定の時間間隔（例えば３分間隔）で交互に繰り返される。
【００４７】
除湿運転時の第１動作について説明する。
【００４８】
この第１動作中の冷媒回路（50）では、図２(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００４９】
図４に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００５０】
外気吸込口（23）から外気側流路（32）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。つまり、第２吸着熱交換器（52）では吸着動作が行われる。第２吸着熱交換器（52）で除湿された第１空気は、第６ダンパ（46）を通って給気側流路（33）へ流入し、給気ファン室（36）を通過後に給気口（22）を通って室内へ供給される。
【００５１】
一方、内気吸込口（24）から内気側流路（34）へ流入した第２空気は、第７ダンパ（47）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。つまり、第１吸着熱交換器（51）では再生動作が行われる。第１吸着熱交換器（51）で水分を付与された第２空気は、第１ダンパ（41）を通って排気側流路（31）へ流入し、排気ファン室（35）を通過後に排気口（21）を通って室外へ排出される。
【００５２】
除湿運転時の第２動作について説明する。
【００５３】
この第２動作中の冷媒回路（50）では、図２(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第２吸着熱交換器（52）が凝縮器となって第１吸着熱交換器（51）が蒸発器となる。
【００５４】
図５に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【００５５】
外気吸込口（23）から外気側流路（32）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。つまり、第１吸着熱交換器（51）では吸着動作が行われる。第１吸着熱交換器（51）で除湿された第１空気は、第５ダンパ（45）を通って給気側流路（33）へ流入し、給気ファン室（36）を通過後に給気口（22）を通って室内へ供給される。
【００５６】
一方、内気吸込口（24）から内気側流路（34）へ流入した第２空気は、第８ダンパ（48）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。つまり、第２吸着熱交換器（52）では再生動作が行われる。第２吸着熱交換器（52）で水分を付与された第２空気は、第２ダンパ（42）を通って排気側流路（31）へ流入し、排気ファン室（35）を通過後に排気口（21）を通って室外へ排出される。
【００５７】
〈加湿運転〉
加湿運転中の調湿装置（10）では、給気ファン（26）及び排気ファン（25）が運転される。給気ファン（26）を運転すると、室外空気が外気吸込口（23）からケーシング（11）内へ第２空気として取り込まれる。排気ファン（25）を運転すると、室内空気が内気吸込口（24）からケーシング（11）内へ第１空気として取り込まれる。また、加湿運転中の調湿装置（10）では、第１動作と第２動作とが所定の時間間隔（例えば３分間隔）で交互に繰り返される。
【００５８】
加湿運転時の第１動作について説明する。
【００５９】
この第１動作中の冷媒回路（50）では、図２(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【００６０】
図６に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００６１】
内気吸込口（24）から内気側流路（34）へ流入した第１空気は、第８ダンパ（48）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。つまり、第２吸着熱交換器（52）では吸着動作が行われる。第２吸着熱交換器（52）で水分を奪われた第１空気は、第２ダンパ（42）を通って排気側流路（31）へ流入し、排気ファン室（35）を通過後に排気口（21）を通って室外へ排出される。
【００６２】
一方、外気吸込口（23）から外気側流路（32）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。つまり、第１吸着熱交換器（51）では再生動作が行われる。第１吸着熱交換器（51）で加湿された第２空気は、第５ダンパ（45）を通って給気側流路（33）へ流入し、給気ファン室（36）を通過後に給気口（22）を通って室内へ供給される。
【００６３】
加湿運転時の第２動作について説明する。
【００６４】
この第２動作中の冷媒回路（50）では、図２(Ｂ)に示すように、四方切換弁（54）が第２状態に設定される。そして、この冷媒回路（50）では、除湿運転の第２動作中と同様に、第２吸着熱交換器（52）が凝縮器となって第１吸着熱交換器（51）が蒸発器となる。
【００６５】
図７に示すように、この第２動作中には、第１ダンパ（41）、第４ダンパ（44）、第６ダンパ（46）、及び第７ダンパ（47）が開状態となり、残りのダンパ（42,43,45,48）が閉状態となる。
【００６６】
内気吸込口（24）から内気側流路（34）へ流入した第１空気は、第７ダンパ（47）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。つまり、第１吸着熱交換器（51）では吸着動作が行われる。第１吸着熱交換器（51）で水分を奪われた第１空気は、第１ダンパ（41）を通って排気側流路（31）へ流入し、排気ファン室（35）を通過後に排気口（21）を通って室外へ排出される。
【００６７】
一方、外気吸込口（23）から外気側流路（32）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。つまり、第２吸着熱交換器（52）では再生動作が行われる。第２吸着熱交換器（52）で加湿された第２空気は、第６ダンパ（46）を通って給気側流路（33）へ流入し、給気ファン室（36）を通過後に給気口（22）を通って室内へ供給される。
【００６８】
−吸着熱交換器での冷媒と空気の流れ−
次に、上述した調湿装置（10）の各運転時における吸着熱交換器（51,52）の空気の流れと冷媒の流れとの関係について説明する。本実施形態の調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が正逆反転する。また、冷媒回路（50）の吸着熱交換器（51,52）が蒸発器となる場合と凝縮器となる場合とで該吸着熱交換器（51,52）を流通する冷媒の流れ方向が正逆反転する。
【００６９】
<除湿運転>
図８(Ａ)に示すように、上述した除湿運転時の吸着動作中には、第１動作時に室外空気が蒸発器となる第２吸着熱交換器（52）を流れて室内へ供給される一方、第２動作時に室外空気が蒸発器となる第１吸着熱交換器（51）を流れて室内へ供給される。蒸発器となる吸着熱交換器（51,52）では、冷媒が第２伝熱管部（58b）側から第１伝熱管部（58a）側に向かって流れる。室外空気は、第２伝熱管部（58b）側から第１伝熱管部（58a）側に流れて吸着熱交換器（51,52）を通過する。つまり、除湿運転時の吸着動作中の吸着熱交換器（51,52）では、室外空気が冷媒の上流側から下流側に向かって流れ、空気と冷媒とがいわゆる並行流となる。
【００７０】
図８(Ｂ)に示すように、上記除湿運転時の再生動作中には、第１動作時に室内空気が凝縮器となる第１吸着熱交換器（51）を流れて室外へ排出される一方、第２動作時に室内空気が凝縮器となる第２吸着熱交換器（52）を流れて室外へ排出される。凝縮器となる吸着熱交換器（51,52）では、冷媒が第１伝熱管部（58a）側から第２伝熱管部（58b）側に向かって流れる。室内空気は、第１伝熱管部（58a）側から第２伝熱管部（58b）側に流れて吸着熱交換器（51,52）を通過する。つまり、除湿運転時の再生動作中の吸着熱交換器（51,52）では、室内空気が冷媒の上流側から下流側に向かって流れ、空気と冷媒とがいわゆる並行流となる。
【００７１】
この除湿運転時には、吸着動作中に蒸発器となる吸着熱交換器（51,52）において、室外空気が冷媒の上流側から下流側に流れる。このため、吸着熱交換器（51,52）の空気流入端での室外空気と冷媒との温度差が大きくなる。その結果、吸着熱交換器（51,52）の空気流入端での冷媒の蒸発温度を空気の露点温度以下として水分を結露させ、この空気を除湿することが可能となる。なお、結露した水分は、吸着熱交換器（51,52）の下部に設けられる図示しないドレンパンに回収され、調湿装置（10）の外部に排出される。
【００７２】
<加湿運転>
図９(Ａ)に示すように、上記加湿運転時の吸着動作中には、第１動作時に室内空気が蒸発器となる第２吸着熱交換器（52）を流れて室外へ排出される一方、第２動作時に室内空気が蒸発器となる第１吸着熱交換器（51）を流れて室外へ排出される。蒸発器となる吸着熱交換器（51,52）では、冷媒が第２伝熱管部（58b）側から第１伝熱管部（58a）側に向かって流れる。室内空気は、第２伝熱管部（58b）側から第１伝熱管部（58a）側に流れて吸着熱交換器（51,52）を通過する。つまり、加湿運転時の吸着動作中の吸着熱交換器（51,52）では、室内空気が冷媒の上流側から下流側に向かって流れ、空気と冷媒とがいわゆる並行流となる。
【００７３】
図９(Ｂ)に示すように、上記加湿運転時の再生動作中には、第１動作時に室外空気が凝縮器となる第１吸着熱交換器（51）を流れて室内へ供給される一方、第２動作時に室外空気が凝縮器となる第２吸着熱交換器（52）を流れて室内へ供給される。凝縮器となる吸着熱交換器（51,52）では、冷媒が第１伝熱管部（58a）側から第２伝熱管部（58b）側に向かって流れる。室外空気は、第１伝熱管部（58a）側から第２伝熱管部（58b）側に流れて吸着熱交換器（51,52）を通過する。つまり、加湿運転時の再生動作中の吸着熱交換器（51,52）では、室外空気が冷媒の上流側から下流側に向かって流れ、空気と冷媒とがいわゆる並行流となる。
【００７４】
この加湿運転時には、再生動作中に凝縮器となる吸着熱交換器（51,52）において、室外空気が冷媒の上流側から下流側に流れる。このため、吸着熱交換器（51,52）の空気流入端に流れる冷媒の温度を比較的高温にすることができる。その結果、吸着熱交換器（51,52）の空気流入端で室外空気が効果的に昇温される。
【００７５】
−実施形態１の効果−
上記実施形態１では、加湿運転時の再生動作中に凝縮器となる吸着熱交換器（51,52）において、室外空気を冷媒の上流側から下流側に向かって流すようにしている。このため、吸着熱交換器（51,52）の空気流入端で空気を効果的に昇温することができる。このようにすると、例えば冬季に極端に低温の室外空気が吸着熱交換器（51,52）を通過する際にも、吸着熱交換器（51,52）の空気流入端で室外空気を比較的高い温度にすることができる。したがって、吸着熱交換器（51,52）の吸着剤表面で結露水が凍結してしまうのを未然に回避でき、それに起因する吸着剤の劣化や吸着剤を接合するバインダの劣化を防止できる。このため、吸着熱交換器（51,52）からの吸着剤の剥離を防ぐことができ、吸着熱交換器（51,52）の信頼性を向上させることができる。
【００７６】
また、上記実施形態１では、除湿運転時の吸着動作中に蒸発器となる吸着熱交換器（51,52）において、室外空気を冷媒の上流側から下流側に向かって流すようにしている。このため、吸着熱交換器（51,52）の空気流入端で空気中の水分を結露させ、この空気を除湿することができる。したがって、この調湿装置の除湿性能を向上させることができる。
【００７７】
《発明の実施形態２》
本発明の実施形態２について説明する。実施形態２の調湿装置（10）は、上記実施形態１と空気流路及び吸着熱交換器（51,52）の配置が異なるタイプのものである。以下には、上記実施形態１と異なる点について図１０を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００７８】
上記調湿装置（10）は、ケーシング（11）を備えている。また、ケーシング（11）内には、上記実施形態１と同様の冷媒回路（50）が収容されている。
【００７９】
上記ケーシング（11）は、やや扁平で高さが比較的低い直方体状に形成されている。このケーシング（11）では、図１０における前側に前面パネル（12）が、同図における奥側に背面パネル（13）がそれぞれ立設されている。実施形態２のケーシング（11）は、上記実施形態１と異なり、前後方向の幅と左右方向の幅とが略同一の長さとなっている。
【００８０】
ケーシング（11）の前面パネル（12）では、左寄りの位置に排気口（21）が、右寄りの位置に給気口（22）がそれぞれ開口している。ケーシング（11）の背面パネル（13）の中央部には、上側寄りの位置に外気吸込口（23）が、下側寄りの位置に内気吸込口（24）がそれぞれ開口している。
【００８１】
上記ケーシング（11）内における前面パネル（12）側には、上記実施形態１と同様にして、排気ファン室（35）及び給気ファン室（36）が形成されている。一方、上記ケーシング（11）の残りの空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）は上記背面パネル（13）側寄りに、第２仕切板（17）は上記前面パネル（12）側寄りにそれぞれ配置されている。
【００８２】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。内気側流路（34）は内気吸込口（24）を介して室内と連通している。一方、第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。      
【００８３】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００８４】
各吸着熱交換器（51,52）は、上記実施形態１と同様に構成されている（図３参照）。各吸着熱交換器（51,52）は、第１伝熱管部（58a）側が外気側流路（32）及び内気側流路（34）側に位置し、第２伝熱管部（58b）側が排気側流路（31）及び給気側流路（33）側に位置するように各熱交換器室（37,38）に立設されている。
【００８５】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００８６】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００８７】
−運転動作−
本実施形態の調湿装置（10）では、実施形態１と同様にして、除湿運転と加湿運転とが行われる。
【００８８】
〈除湿運転〉
除湿運転時の第１動作では、冷媒回路（50）の四方切換弁（54）が図２(Ａ)に示す第１状態に設定される。この状態の冷媒回路（50）では、第１吸着熱交換器（51）が凝縮器となって第２吸着熱交換器（52）が蒸発器となる。
【００８９】
図１１に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００９０】
室外空気は、第１空気として外気吸込口（23）から外気側流路（32）へ流入する。この第１空気は第２ダンパ（42）を通って第２熱交換器室（38）へ流入し、その後に第２吸着熱交換器（52）を通過する。この第２吸着熱交換器（52）では、上記実施形態１と同様に吸着動作が行われる。第２吸着熱交換器（52）で除湿された第１空気は、第８ダンパ（48）を通って給気側流路（33）へ流入し、給気ファン室（36）を通過後に給気口（22）を通って室内へ供給される。
【００９１】
室内空気は、第２空気として内気吸込口（24）から内気側流路（34）へ流入する。この第２空気は第３ダンパ（43）を通って第１熱交換器室（37）へ流入し、その後に第１吸着熱交換器（51）を通過する。この第１吸着熱交換器（51）では上記実施形態１と同様に再生動作が行われる。第１吸着熱交換器（51）で水分を付与された第２空気は、第５ダンパ（45）を通って排気側流路（31）へ流入し、排気ファン室（35）を通過後に排気口（21）を通って室外へ排出される。
【００９２】
除湿運転時の第２動作では、冷媒回路（50）の四方切換弁（54）が図２(Ｂ)に示す第２状態に設定される。この状態の冷媒回路（50）では、第２吸着熱交換器（52）が凝縮器となって第１吸着熱交換器（51）が蒸発器となる。
【００９３】
図１２に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００９４】
室外空気は、第１空気として外気吸込口（23）から外気側流路（32）へ流入する。この第１空気は第１ダンパ（41）を通って第１熱交換器室（37）へ流入し、その後に第１吸着熱交換器（51）を通過する。この第１吸着熱交換器（51）では吸着動作が行われる。第１吸着熱交換器（51）で除湿された第１空気は、第７ダンパ（45）を通って給気側流路（33）へ流入し、給気ファン室（36）を通過後に給気口（22）を通って室内へ供給される。
【００９５】
室内空気は、第２空気として内気吸込口（24）から内気側流路（34）へ流入する。この第２空気は、第４ダンパ（44）を通って第２熱交換器室（38）へ流入し、その後に第２吸着熱交換器（52）を通過する。この第２吸着熱交換器（52）では再生動作が行われる。第２吸着熱交換器（52）で水分を付与された第２空気は、第６ダンパ（46）を通って排気側流路（31）へ流入し、排気ファン室（35）を通過後に排気口（21）を通って室外へ排出される。
【００９６】
〈加湿運転〉
加湿運転時の第１動作では、冷媒回路（50）の四方切換弁（54）が図２(Ａ)に示す第１状態に設定される。この状態の冷媒回路（50）では、第１吸着熱交換器（51）が凝縮器となって第２吸着熱交換器（52）が蒸発器となる。
【００９７】
図１３に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００９８】
室外空気は、第２空気として外気吸込口（23）から外気側流路（32）へ流入する。この第２空気は第１ダンパ（41）を通って第１熱交換器室（37）へ流入し、その後に第１吸着熱交換器（51）を通過する。この第１吸着熱交換器（51）では吸着動作が行われる。第１吸着熱交換器（51）で除湿された第２空気は、第７ダンパ（47）を通って給気側流路（33）へ流入し、給気ファン室（36）を通過後に給気口（22）を通って室内へ供給される。
【００９９】
室内空気は、第１空気として内気吸込口（24）から内気側流路（34）へ流入する。この第１空気は第４ダンパ（44）を通って第２熱交換器室（38）へ流入し、その後に第２吸着熱交換器（52）を通過する。この第２吸着熱交換器（52）では再生動作が行われる。第２吸着熱交換器（52）で水分を付与された第１空気は、第６ダンパ（46）を通って排気側流路（31）へ流入し、排気ファン室（35）を通過後に排気口（21）を通って室外へ排出される。
【０１００】
除湿運転時の第２動作では、冷媒回路（50）の四方切換弁（54）が図２(Ｂ)に示す第２状態に設定される。この状態の冷媒回路（50）では、第２吸着熱交換器（52）が凝縮器となって第１吸着熱交換器（51）が蒸発器となる。
【０１０１】
図１４に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【０１０２】
室外空気は、第２空気として外気吸込口（23）から外気側流路（32）へ流入する。この第２空気は第２ダンパ（42）を通って第２熱交換器室（38）へ流入し、その後に第２吸着熱交換器（52）を通過する。この第２吸着熱交換器（52）では吸着動作が行われる。第２吸着熱交換器（52）で除湿された第２空気は、第８ダンパ（48）を通って給気側流路（33）へ流入し、給気ファン室（36）を通過後に給気口（22）を通って室内へ供給される。
【０１０３】
室内空気は、第１空気として内気吸込口（24）から内気側流路（34）へ流入する。この第１空気は、第３ダンパ（43）を通って第１熱交換器室（37）へ流入し、その後に第１吸着熱交換器（51）を通過する。この第１吸着熱交換器（51）では再生動作が行われる。第１吸着熱交換器（51）で水分を付与された第１空気は、第５ダンパ（45）を通って排気側流路（31）へ流入し、排気ファン室（35）を通過後に排気口（21）を通って室外へ排出される。
【０１０４】
−吸着熱交換器での冷媒と空気の流れ−
次に、実施形態２の調湿装置（10）の各運転時における吸着熱交換器（51,52）の空気の流れと冷媒の流れとの関係について説明する。本実施形態の調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が同じとなる。一方、冷媒回路（50）の吸着熱交換器（51,52）が蒸発器となる場合と凝縮器となる場合とで該吸着熱交換器（51,52）を流通する冷媒の流れ方向が正逆反転する。
【０１０５】
<除湿運転>
図１５(Ａ)に示すように、上記除湿運転時の吸着動作中において、蒸発器となる吸着熱交換器（51,52）では、冷媒が第２伝熱管部（58b）側から第１伝熱管部（58a）側に向かって流れる。一方、室外空気は、第１伝熱管部（58a）側から第２伝熱管部（58a）側に流れて吸着熱交換器（51,52）を通過する。つまり、除湿運転時の吸着動作中の吸着熱交換器（51,52）では、室外空気が冷媒の下流側から上流側に向かって流れ、空気と冷媒とがいわゆる対向流となる。
【０１０６】
図１５(Ｂ)に示すように、上記除湿運転時の再生動作中において、凝縮器となる吸着熱交換器（51,52）では、冷媒が第１伝熱管部（58a）側から第２伝熱管部（58b）側に向かって流れる。室内空気は、第１伝熱管部（58a）側から第２伝熱管部（58b）側に流れて吸着熱交換器（51,52）を通過する。つまり、除湿運転時の再生動作中の吸着熱交換器（51,52）では、空気が冷媒の上流側から下流側に向かって流れ、空気と冷媒とがいわゆる並行流となる。
【０１０７】
この除湿運転時には、吸着動作中の吸着熱交換器（51,52）において、室外空気が冷媒の下流側から上流側に流れる。このため、吸着熱交換器（51,52）における空気の上流端から下流端までの全域に亘って、空気と冷媒との温度差をある程度得ることができる。その結果、この吸着熱交換器（51,52）で空気が効果的に冷却される。
【０１０８】
<加湿運転>
図１６(Ａ)に示すように、上記加湿運転時の吸着動作中において、蒸発器となる吸着熱交換器（51,52）では、冷媒が第２伝熱管部（58b）側から第１伝熱管部（58a）側に向かって流れる。一方、室内空気は、第１伝熱管部（58a）側から第２伝熱管部（58b）側に流れて吸着熱交換器（51,52）を通過する。つまり、加湿運転時の吸着動作中の吸着熱交換器（51,52）では、空気が冷媒の下流側から上流側に向かって流れ、空気と冷媒とがいわゆる対向流となる。
【０１０９】
図１６(Ｂ)に示すように、上記加湿運転時の再生動作中において、凝縮器となる吸着熱交換器（51,52）では、冷媒が第１伝熱管部（58a）側から第２伝熱管部（58b）側に向かって流れる。室外空気は、第１伝熱管部（58a）側から第２伝熱管部（58b）側に流れて吸着熱交換器（51,52）を通過する。つまり、加湿運転時の再生動作中の吸着熱交換器（51,52）では、空気が冷媒の上流側から下流側に向かって流れ、空気と冷媒とがいわゆる並行流となる。
【０１１０】
この加湿運転時には、上記実施形態１と同様、再生動作中に凝縮器となる吸着熱交換器（51,52）において、室外空気が冷媒の上流側から下流側に流れる。このため、吸着熱交換器（51,52）の空気流入端には比較的高温の冷媒が流れる。その結果、吸着熱交換器（51,52）の空気流入端で室外空気が効果的に昇温される。
【０１１１】
−実施形態２の効果−
上記実施形態２では、上記実施形態１と同様、加湿運転時の再生動作中の吸着熱交換器（51,52）において、室外空気を冷媒の上流側から下流側に向かって流すようにしている。このため、吸着熱交換器（51,52）の空気流入端で空気を効果的に昇温することができる。したがって、吸着熱交換器（51,52）の吸着剤表面で結露水が凍結してしまうのを未然に回避できる。
【０１１２】
また、上記実施形態２では、除湿運転時の吸着動作中の吸着熱交換器（51,52）において、室外空気を冷媒の下流側から上流側に向かって流すようにしている。このため、吸着熱交換器（51,52）で空気を効果的に冷却することができる。したがって、例えば夏季の除湿運転時などにおいて、この調湿装置（10）で室内を効果的に冷房することができる。
【０１１３】
〈実施形態２の変形例〉
上記実施形態２の冷媒回路に換えて図１７に示す冷媒回路（50）を調湿装置（10）に適用してもよい。この変形例の冷媒回路（50）には、上記実施形態の各要素部品に加え、第２の四方切換弁（56）が接続されている。
【０１１４】
上記冷媒回路（50）において、圧縮機（53）は、その吐出側が第１四方切換弁（54）の第１のポートに、その吸入側が第２四方切換弁（56）の第２ポートにそれぞれ接続されている。第１吸着熱交換器（51）は、その一端が第１四方切換弁（54）の第３のポートに、その他端が第２四方切換弁（56）の第３ポートにそれぞれ接続している。第２吸着熱交換器（52）は、その一端が第１四方切換弁（54）の第４ポートに、その他端が第２四方切換弁（56）の第４ポートにそれぞれ接続している。また、第１四方切換弁（54）の第２ポートと、第２四方切換弁（56）の第１ポートとが電動膨張弁（55）を介して接続されている。
【０１１５】
これらの四方切換弁（54,56）は、各々の第１のポートと第３のポートが連通して第２のポートと第４のポートが連通する第１状態（図１７(Ａ)に示す状態）と、各々の第１のポートと第４のポートが連通して第２のポートと第３のポートが連通する第２状態（図１７(Ｂ)に示す状態）とに切り換え可能となっている。
【０１１６】
実施形態２の変形例の調湿装置（10）では、両四方切換弁（54,56）を第１状態と第２状態とに切り換えても各吸着熱交換器（51,52）を流通する冷媒の流れ方向が同一となる。つまり、この調湿装置（10）では、各吸着熱交換器（51,52）が蒸発器となる場合と凝縮器となる場合とで冷媒の流れ方向が同一となる。また、この調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が同じとなる。
【０１１７】
したがって、除湿運転時の吸着熱交換器（51,52）では、図１８(Ａ)に示す吸着動作中と図１８(Ｂ)に示す再生動作中との双方で空気と冷媒とが並行流となる。また、加湿運転時の吸着熱交換器（51,52）では、図１９(Ａ)に示す吸着動作中と図１９(Ｂ)に示す再生動作中との双方で冷媒と空気とが並行流となる。
【０１１８】
このため、加湿運転時の再生動作中には、吸着熱交換器（51,52）の空気流入端で空気を効果的に加熱することができ、吸着熱交換器（51,52）の吸着剤表面で結露水が凍結してしまうのを未然に回避できる。また、除湿運転時の吸着動作中には、吸着熱交換器（51,52）の空気流入端で空気中の水分を結露させ、この調湿装置の除湿性能を向上させることができる。
【０１１９】
《その他の実施形態》
上記実施形態については、以下のような構成としてもよい。
【０１２０】
上記実施形態では、各熱交換器室（37,38）に一つの吸着熱交換器（51,52）をそれぞれ収納するようにしている。しかしながら、この熱交換器室に複数の吸着熱交換器を重ねて配列するようにしてもよい。図２０の例では、２つの吸着熱交換器を空気の流れ方向に２枚配列している。冷媒回路（50）の冷媒は、各吸着熱交換器（51,51）へ２手に分岐して流入し、各吸着熱交換器（51,51）を流出した後に再び合流する。このようにすると、例えば冷媒を各吸着熱交換器（51,51）へ直流で流す場合と比較して、配管内の圧力損失を低減することができる。
【０１２１】
また、図２０の例についても、例えば凝縮器となる各吸着熱交換器（51,51）における冷媒の上流側から下流側に向かって室外空気を流すことで、上流側に配置された吸着熱交換器（51）の空気流入端で室外空気を効果的に昇温することができる。したがって、各吸着熱交換器（51,51）で結露水が凍結してしまうことを未然に回避できる。
【０１２２】
なお、以上の実施形態は、本質的に好ましい例示であって、本発明、その適用物、あるいはその用途の範囲を制限することを意図するものではない。
【産業上の利用可能性】
【０１２３】
以上説明したように、本発明は、吸着熱交換器の吸着剤と空気とを接触させて吸着剤の再生動作を行う調湿装置について有用である。
【図面の簡単な説明】
【０１２４】
【図１】実施形態１の調湿装置の概略構成を示す平面視、右側面視、及び左側面視の構成図である。
【図２】実施形態１の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】除湿運転の第１動作中における空気の流れを示す調湿装置の概略構成図である。
【図５】除湿運転の第２動作中における空気の流れを示す調湿装置の概略構成図である。
【図６】加湿運転の第１動作中における空気の流れを示す調湿装置の概略構成図である。
【図７】加湿運転の第２動作中における空気の流れを示す調湿装置の概略構成図である。
【図８】実施形態１の除湿運転時の吸着熱交換器における空気と冷媒の流れの関係を示す概略構成図であって、(Ａ)は吸着動作中を示すものであり、(Ｂ)は再生動作中を示すものである。
【図９】実施形態１の加湿運転時の吸着熱交換器における空気と冷媒の流れの関係を示す概略構成図であって、(Ａ)は吸着動作中を示すものであり、(Ｂ)は再生動作中を示すものである。
【図１０】実施形態２の調湿装置の概略構成を示す平面視、右側面視、及び左側面視の構成図である。
【図１１】除湿運転の第１動作中における空気の流れを示す調湿装置の概略構成図である。
【図１２】除湿運転の第２動作中における空気の流れを示す調湿装置の概略構成図である。
【図１３】加湿運転の第１動作中における空気の流れを示す調湿装置の概略構成図である。
【図１４】加湿運転の第２動作中における空気の流れを示す調湿装置の概略構成図である。
【図１５】実施形態２の除湿運転時の吸着熱交換器における空気と冷媒の流れの関係を示す概略構成図であって、(Ａ)は吸着動作中を示すものであり、(Ｂ)は再生動作中を示すものである。
【図１６】実施形態２の加湿運転時の吸着熱交換器における空気と冷媒の流れの関係を示す概略構成図であって、(Ａ)は吸着動作中を示すものであり、(Ｂ)は再生動作中を示すものである。
【図１７】実施形態２の変形例の冷媒回路の構成を示す配管系統図であって、(Ａ)は第１動作中の動作を示すものであり、(Ｂ)は第２動作中の動作を示すものである。
【図１８】実施形態２の変形例の除湿運転時の吸着熱交換器における空気と冷媒の流れの関係を示す概略構成図であって、(Ａ)は吸着動作中を示すものであり、(Ｂ)は再生動作中を示すものである。
【図１９】実施形態２の変形例の加湿運転時の吸着熱交換器における空気と冷媒の流れの関係を示す概略構成図であって、(Ａ)は吸着動作中を示すものであり、(Ｂ)は再生動作中を示すものである。
【図２０】その他の実施形態の吸着熱交換器を示す概略構成図である。
【符号の説明】
【０１２５】
10     調湿装置
50     冷媒回路（熱媒体回路）
51,52  吸着熱交換器
【図１】
2006349294.tif 000003
【図２】
2006349294.tif 000004
【図３】
2006349294.tif 000005
【図４】
2006349294.tif 000006
【図５】
2006349294.tif 000007
【図６】
2006349294.tif 000008
【図７】
2006349294.tif 000009
【図８】
2006349294.tif 000010
【図９】
2006349294.tif 000011
【図１０】
2006349294.tif 000012
【図１１】
2006349294.tif 000013
【図１２】
2006349294.tif 000014
【図１３】
2006349294.tif 000015
【図１４】
2006349294.tif 000016
【図１５】
2006349294.tif 000017
【図１６】
2006349294.tif 000018
【図１７】
2006349294.tif 000019
【図１８】
2006349294.tif 000020
【図１９】
2006349294.tif 000021
【図２０】
2006349294.tif 000022
【手続補正書】
【提出日】平成18年6月20日(2006.6.20)
【手続補正１】
【補正対象書類名】図面
【補正対象項目名】図１１
【補正方法】変更
【補正の内容】
【図１１】
2006349294.tif 000023
【手続補正２】
【補正対象書類名】図面
【補正対象項目名】図１２
【補正方法】変更
【補正の内容】
【図１２】
2006349294.tif 000024
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
熱媒体が流通する熱媒体回路（50）と、該熱媒体回路（50）に接続されて吸着剤を担持する吸着熱交換器（51,52）とを備え、
上記熱媒体回路（50）の熱媒体で吸着熱交換器（51,52）の吸着剤を加熱し、該吸着剤と室外空気とを接触させて吸着剤の水分を室外空気へ放出する再生動作を行う調湿装置であって、
上記吸着熱交換器（51,52）では、上記再生動作中に熱媒体の流入側から流出側に向かって室外空気が流れることを特徴とする調湿装置。
【請求項２】
請求項１において、
上記吸着熱交換器（51,52）の吸着剤を熱媒体で冷却し、該吸着剤と空気とを接触させて空気中の水分を吸着剤へ吸着させる吸着動作を行うように構成され、
吸着熱交換器（51,52）では、上記吸着動作中に熱媒体の流入側から流出側に向かって空気が流れることを特徴とする調湿装置。
【請求項３】
請求項１において、
上記吸着熱交換器（51,52）の吸着剤を熱媒体で冷却し、該吸着剤と空気とを接触させて空気中の水分を吸着剤へ吸着させる吸着動作を行うように構成され、
吸着熱交換器（51,52）では、上記吸着動作中に熱媒体の流出側から流入側に向かって空気が流れることを特徴とする調湿装置。
【請求項４】
請求項１から３の何れか１において、
上記熱媒体回路は、上記熱媒体としての冷媒を循環させて冷凍サイクルを行う冷媒回路（50）で構成されていることを特徴とする調湿装置。
【手続補正２】
【補正対象書類名】明細書
【補正対象項目名】全文
【補正方法】変更
【補正の内容】
【発明の詳細な説明】
【技術分野】
【０００１】
本発明は、吸着剤が担持された吸着熱交換器を有する調湿装置に関し、特に、吸着熱交換器の吸着剤と空気とを接触させて該吸着剤の再生動作を行う調湿装置に係るものである。
【背景技術】
【０００２】
従来より、空気中の水分を吸脱着して室内の調湿を行う調湿装置が知られている。
【０００３】
例えば特許文献１には、吸着剤を担持する吸着熱交換器が接続された冷媒回路を有する調湿装置が開示されている。この調湿装置の冷媒回路には、圧縮機、第１吸着熱交換器、膨張弁、第２吸着熱交換器、及び四方切換弁が接続されている。そして、この冷媒回路では、冷媒が循環して冷凍サイクルが行われる。上記２つの吸着熱交換器は、一方の吸着熱交換器が蒸発器として機能し、他方の吸着熱交換器が凝縮器として機能する。そして、蒸発器となる吸着熱交換器では、空気中の水分を吸着剤に吸着させる吸着動作が行われ、凝縮器となる吸着熱交換器では、吸着剤の水分を空気へ放出する再生動作が行われる。
【０００４】
具体的に、この調湿装置の加湿運転時には、室外空気が凝縮器となる吸着熱交換器を通過する。この吸着熱交換器では、冷媒によって吸着剤が加熱されており、吸着剤から水分が脱離して室外空気へ放出される。この再生動作によって加湿された空気は供給空気として室内へ供給され、室内の加湿が行われる。一方、室内空気は蒸発器となる吸着熱交換器を通過する。この吸着熱交換器では、冷媒によって吸着剤が冷却されており、空気中の水分は吸着剤に吸着される。この吸着動作によって吸着剤に水分を付与した空気は排出空気として室外へ排出される。
【０００５】
また、この調湿装置の除湿運転時には、室外空気が蒸発器となる吸着熱交換器を通過する。この吸着熱交換器では、冷媒によって吸着剤が冷却されており、空気中の水分は吸着剤に吸着される。この吸着動作によって除湿された空気は供給空気として室内へ供給され、この室内の除湿が行われる。一方、室内空気は凝縮器となる吸着熱交換器を通過する。この吸着熱交換器では、冷媒によって吸着剤が加熱されており、吸着剤から水分が脱離して空気へ放出される。この再生動作によって吸着剤の再生に利用された空気は排出空気として室外へ排出される。
【０００６】
この調湿装置では、空気通路をダンパで切り換えると同時に、冷媒回路の冷媒の循環方向を四方切換弁で切り換えることで、２つの吸着熱交換器で再生動作と吸着動作とが交互に繰り返し行われる。即ち、この調湿装置では、吸着剤の吸着能力や再生能力を損なうこと無く、調湿した空気が室内に連続供給される。
【特許文献１】特開２００４−２９４０４８号公報
【発明の開示】
【発明が解決しようとする課題】
【０００７】
上述のように、特許文献１の調湿装置の加湿運転では、凝縮器となる吸着熱交換器を室外空気が通過する。このため、例えば冬季において、極端に低温の室外空気がこの吸着熱交換器を通過すると、吸着熱交換器の周囲で結露した水分が吸着剤の表面で凍結してしまう恐れがある。吸着剤の表面で凍結した水分は、凝縮器となる吸着熱交換器を流れる冷媒によって加熱されて次第に融解することになるが、このように吸着剤表面で水分の凍結と融解とが繰り返されると、吸着剤が徐々に劣化してしまい、吸着熱交換器の表面から吸着剤が剥離してしまう恐れがある。
【０００８】
本発明は、かかる点に鑑みてなされたものであり、その目的は、吸着剤が担持された吸着熱交換器を有する調湿装置において、再生動作中に極端に低温の空気が吸着熱交換器を通過する際、吸着剤表面で結露水が凍結してしまうことを回避することである。
【課題を解決するための手段】
【０００９】
第１の発明は、熱媒体が流通する熱媒体回路（50）と、該熱媒体回路（50）に接続されて吸着剤を担持する吸着熱交換器（51,52）とを備え、上記熱媒体回路（50）の熱媒体で吸着熱交換器（51,52）の吸着剤を加熱し、該吸着剤と室外空気とを接触させて吸着剤の水分を室外空気へ放出する再生動作を行う調湿装置を前提としている。そして、この調湿装置の
吸着熱交換器（51,52）では、上記再生動作中に熱媒体の流入側から流出側に向かって室外空気が流れることを特徴とするものである。
【００１０】
第１の発明では、空気中の水分を吸脱着する吸着剤が吸着熱交換器（51,52）に担持される。この調湿装置の再生動作中には、吸着剤が熱媒体回路（50）を流れる熱媒体によって加熱される。加熱された吸着剤に空気が接触すると、吸着剤に吸着された水分が空気へ放出される。その結果、吸着剤の吸着能力が回復する一方、例えばこの空気が室内に供給されることで、室内の加湿が行われる。
【００１１】
ここで、上記再生動作中の吸着熱交換器（51,52）では、空気が熱媒体の流入側から流出側に向かって流れ、空気と熱媒体の流れがいわゆる並行流となる。このため、再生動作中の吸着熱交換器（51,52）では、空気流れの流入端の部分に比較的高温の熱媒体が流れる。つまり、吸着熱交換器（51,52）での空気流入端を流れる熱媒体は、いわゆる対向流の場合と比較して高温になる。このため、吸着熱交換器（51,52）の空気流入端において、空気が熱媒体によって効果的に昇温される。
【００１２】
第２の発明は、第１の発明において、上記吸着熱交換器（51,52）の吸着剤を熱媒体で冷却し、該吸着剤と空気とを接触させて空気中の水分を吸着剤へ吸着させる吸着動作を行うように構成され、吸着熱交換器（51,52）では、上記吸着動作中に熱媒体の流入側から流出側に向かって空気が流れることを特徴とするものである。
【００１３】
第２の発明の調湿装置の吸着動作中には、吸着熱交換器（51,52）の吸着剤に水分が吸着される。その際に生じた吸着熱は、熱媒体回路（50）を流れる熱媒体によって吸熱される。その結果、吸着剤に水分が蓄えられる一方、例えばこの空気が室内に供給されることで、室内の除湿が行われる。
【００１４】
ここで、上記吸着動作中の吸着熱交換器（51,52）では、空気が熱媒体の流入側から流出側に向かって流れ、空気と熱媒体とがいわゆる並行流となる。このため、吸着熱交換器（51,52）の空気流入端での空気と熱媒体との温度差は、空気と熱媒体とがいわゆる対向流の場合と比較して大きくなる。このため、吸着熱交換器（51,52）では、空気流入端において空気が効果的に低温化される。
【００１５】
第３の発明は、第１の発明において、上記吸着熱交換器（51,52）の吸着剤を熱媒体で冷却し、該吸着剤と空気とを接触させて空気中の水分を吸着剤へ吸着させる吸着動作を行うように構成され、吸着熱交換器（51,52）では、上記吸着動作中に熱媒体の流出側から流入側に向かって空気が流れることを特徴とするものである。
【００１６】
第３の発明では、吸着動作が行われる吸着熱交換器（51,52）において、空気が熱媒体の流入側から流出側に向かって流れ、空気と熱媒体とがいわゆる対向流となる。このため、吸着熱交換器（51,52）における空気の上流端から下流端までの全域に亘って、空気と熱媒体との間で温度差が確保される。その結果、吸着熱交換器（51,52）による空気の冷却効果が向上する。
【００１７】
第４の発明は、第１から第３の何れか１の発明において、上記熱媒体回路は、冷媒を循環させて冷凍サイクルを行う冷媒回路（50）で構成されていることを特徴とするものである。
【００１８】
第４の発明では、熱媒体回路としての冷媒回路（50）に吸着熱交換器（51,52）が接続される。この冷媒回路（50）では、冷媒が循環して冷凍サイクルが行われることで、吸着熱交換器（51,52）が凝縮器又は蒸発器として機能する。この調湿装置の再生動作中には、凝縮器となる吸着熱交換器（51,52）の冷媒で加熱された吸着剤と空気とが接触する。その結果、吸着剤に吸着された水分が空気へ放出される。また、この調湿装置の吸着動作中には、蒸発器となる吸着熱交換器（51,52）の冷媒で冷却された吸着剤と空気とが接触する。その結果、空気中の水分が吸着剤に吸着される。
【発明の効果】
【００１９】
本発明では、再生動作中の吸着熱交換器（51,52）において、熱媒体の流入側から流出側に向かって空気を流通させるようにしている。このため、本発明によれば、吸着熱交換器（51,52）の空気流入端において、空気を効果的に昇温することができる。このようにすると、例えば冬季に極端に低温の室外空気が吸着熱交換器（51,52）を通過する際にも、吸着熱交換器（51,52）の空気流入端で室外空気を比較的高い温度にすることができる。したがって、吸着熱交換器（51,52）の吸着剤表面で結露水が凍結してしまうのを未然に回避でき、吸着剤の劣化、及び吸着熱交換器（51,52）からの吸着剤の剥離を防ぐことができる。
【００２０】
上記第２の発明によれば、吸着動作中の吸着熱交換器（51,52）において、熱媒体の流入側から流出側に向かって空気を流通させるようにしている。このため、本発明によれば、吸着熱交換器（51,52）の空気流入端において、空気を効果的に低温化することができる。このようにすると、吸着熱交換器（51,52）の空気流入側で空気を露点温度以下として水分を結露させ、この空気の除湿を行うことができる。このため、この調湿装置の除湿能力を向上させることができる。したがって、吸着剤の除湿能力だけでは空気の除湿を充分行うことができない場合にも、水分を結露させて吸着剤の除湿能力の不足を補うことが可能となる。
【００２１】
上記第３の発明によれば、吸着動作中の吸着熱交換器（51,52）において、熱媒体の流出側から流入側に向かって空気を流通させるようにしている。このため、本発明によれば、吸着熱交換器（51,52）による空気の冷却効果を向上させることができる。したがって、吸着動作中の吸着熱交換器（51,52）において、空気を効果的に冷却しながら除湿することができ、例えば夏季の除湿運転時に室内を効果的に冷房することができる。
【００２２】
上記第４の発明によれば、熱媒体回路として冷凍サイクルを行う冷媒回路（50）を用いるようにしている。このため、吸着熱交換器（51,52）において、蒸発する冷媒で吸着剤を効果的に冷却でき、吸着剤の吸着能力を向上させることができる。また、凝縮する冷媒で吸着剤を効果的に加熱することができ、吸着剤の再生能力を向上させることができる。
【発明を実施するための最良の形態】
【００２３】
以下、本発明の実施形態を図面に基づいて詳細に説明する。
【００２４】
《発明の実施形態１》
本発明の実施形態１について説明する。本実施形態の調湿装置（10）は、空気の除湿と加湿とを行う調湿装置である。この調湿装置（10）は、いわゆる換気型の調湿装置であって、室外空気（OA）を調湿して室内へ供給すると同時に室内空気（RA）を室外に排出する。
【００２５】
〈調湿装置の全体構成〉
上記調湿装置（10）について、図１を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００２６】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２７】
上記ケーシング（11）は、やや扁平で高さが比較的低い直方体状に形成されている。このケーシング（11）では、図１における前側に前面パネル（12）が、同図における奥側に背面パネル（13）がそれぞれ立設されており、同図における前から奥へ向かう方向が長手方向となっている。
【００２８】
ケーシング（11）の前面パネル（12）では、左寄りの位置に排気口（21）が、右寄りの位置に給気口（22）がそれぞれ開口している。ケーシング（11）の背面パネル（13）には、左寄りの位置に外気吸込口（23）が、右寄りの位置に内気吸込口（24）がそれぞれ開口している。
【００２９】
上記ケーシング（11）の内部空間は、前面パネル（12）側の部分と背面パネル（13）側の部分とに区画されている。
【００３０】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００３１】
一方、上記ケーシング（11）内の背面パネル（13）側の空間は、ケーシング（11）内に立設された第１仕切板（16）及び第２仕切板（17）によって左右３つの空間に仕切られている。これら仕切板（16,17）は、背面パネル（13）からケーシング（11）の長手方向に沿って延びている。第１仕切板（16）はケーシング（11）の右側板寄りに、第２仕切板（17）はケーシング（11）の左側板寄りにそれぞれ配置されている。
【００３２】
上記ケーシング（11）内において、第１仕切板（16）の左側の空間は上下２つの空間に仕切られており、上側の空間が排気側流路（31）を、下側の空間が外気側流路（32）をそれぞれ構成している。排気側流路（31）は、排気ファン室（35）と連通している。外気側流路（32）は、外気吸込口（23）を介して室外空間と連通している。一方、右側の空間は上下２つの空間に仕切られており、上側の空間が給気側流路（33）を、下側の空間が内気側流路（34）をそれぞれ構成している。給気側流路（33）は、給気ファン室（36）と連通している。内気側流路（34）は、内気吸込口（24）を介して室内と連通している。
【００３３】
第１仕切板（16）と第２仕切板（17）との間の空間は、更に中央仕切板（18）によって前後２つの空間に仕切られている。そして、中央仕切板（18）の前側の空間が第１熱交換器室（37）を構成し、その後側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を前後方向へ横断するように配置されている。
【００３４】
上記第１仕切板（16）には、開閉式のダンパ（41〜44）が４つ設けられている。具体的に、第１仕切板（16）では、前面側の上部に第１ダンパ（41）が、背面側の上部に第２ダンパ（42）が、前面側の下部に第３ダンパ（43）が、背面側の下部に第４ダンパ（44）がそれぞれ取り付けられている。第１ダンパ（41）を開くと、排気側流路（31）と第１熱交換器室（37）が連通する。第２ダンパ（42）を開くと、排気側流路（31）と第２熱交換器室（38）が連通する。第３ダンパ（43）を開くと、外気側流路（32）と第１熱交換器室（37）が連通する。第４ダンパ（44）を開くと、外気側流路（32）と第２熱交換器室（38）が連通する。
【００３５】
上記第２仕切板（17）には、開閉式のダンパ（45〜48）が４つ設けられている。具体的に、第２仕切板（17）では、前面側の上部に第５ダンパ（45）が、背面側の上部に第６ダンパ（46）が、前面側の下部に第７ダンパ（47）が、背面側の下部に第８ダンパ（48）がそれぞれ取り付けられている。第５ダンパ（45）を開くと、給気側流路（33）と第１熱交換器室（37）が連通する。第６ダンパ（46）を開くと、給気側流路（33）と第２熱交換器室（38）が連通する。第７ダンパ（47）を開くと、内気側流路（34）と第１熱交換器室（37）が連通する。第８ダンパ（48）を開くと、内気側流路（34）と第２熱交換器室（38）が連通する。
【００３６】
〈冷媒回路の構成〉
上記冷媒回路（50）について、図２を参照しながら説明する。
【００３７】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。つまり、冷媒回路（50）は、熱媒体としての冷媒が流れる熱媒体回路を構成している。
【００３８】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００３９】
上記四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００４０】
図３に示すように、第１吸着熱交換器（51）及び第２吸着熱交換器（52）は、何れもクロスフィン型のフィン・アンド・チューブ熱交換器によって構成されている。これら吸着熱交換器（51,52）は、アルミニウム製のフィン（57）と銅製の伝熱管（58）とを備えている。上記フィン（57）は、それぞれが長方形板状に形成されている。各フィン（57）は、吸着熱交換器（51,52）を通過する空気流れと直交する方向に一定の間隔で並べられている。
【００４１】
上記伝熱管（58）は、各フィン（57）を貫通するように設けられている。この伝熱管（58）は、空気の流れ方向に２列で配列される第１伝熱管部（58a）と第２伝熱管部（58b）とで構成されている。各伝熱管部（58a,58b）は、各フィン（57）の複数箇所を貫通するように蛇行しており、直管の部分がフィン（57）の長手方向に並設されている。
【００４２】
上記第１伝熱管部（58a）の一端は、フィン（57）の右側下部に位置し、上記冷媒回路（50）の冷媒配管と接続している。一方、第１伝熱管部（58a）の他端は、フィン（57）の右側上部に位置している。上記第２伝熱管部（58b）の一端は、フィン（57）の左側上部に位置し、上記第１伝熱管部（58a）の他端と接続している。一方、第２伝熱管部（58b）の他端は、フィン（57）の左側下部に位置し、上記冷媒回路（50）の冷媒配管と接続している。
【００４３】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００４４】
以上のような構成の吸着熱交換器（51,52）は、第１伝熱管部（58a）側が上述の給気側流路（33）及び内気側流路（34）側に位置し、第２伝熱管部（58b）側が上述の排気側流路（31）及び外気側流路（32）側に位置するように各熱交換器室（37,38）に立設されている。
【００４５】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。
【００４６】
〈除湿運転〉
除湿運転中の調湿装置（10）では、給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。また、除湿運転中の調湿装置（10）では、第１動作と第２動作が所定の時間間隔（例えば３分間隔）で交互に繰り返される。
【００４７】
除湿運転時の第１動作について説明する。
【００４８】
この第１動作中の冷媒回路（50）では、図２(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００４９】
図４に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００５０】
外気吸込口（23）から外気側流路（32）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。つまり、第２吸着熱交換器（52）では吸着動作が行われる。第２吸着熱交換器（52）で除湿された第１空気は、第６ダンパ（46）を通って給気側流路（33）へ流入し、給気ファン室（36）を通過後に給気口（22）を通って室内へ供給される。
【００５１】
一方、内気吸込口（24）から内気側流路（34）へ流入した第２空気は、第７ダンパ（47）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。つまり、第１吸着熱交換器（51）では再生動作が行われる。第１吸着熱交換器（51）で水分を付与された第２空気は、第１ダンパ（41）を通って排気側流路（31）へ流入し、排気ファン室（35）を通過後に排気口（21）を通って室外へ排出される。
【００５２】
除湿運転時の第２動作について説明する。
【００５３】
この第２動作中の冷媒回路（50）では、図２(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第２吸着熱交換器（52）が凝縮器となって第１吸着熱交換器（51）が蒸発器となる。
【００５４】
図５に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【００５５】
外気吸込口（23）から外気側流路（32）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。つまり、第１吸着熱交換器（51）では吸着動作が行われる。第１吸着熱交換器（51）で除湿された第１空気は、第５ダンパ（45）を通って給気側流路（33）へ流入し、給気ファン室（36）を通過後に給気口（22）を通って室内へ供給される。
【００５６】
一方、内気吸込口（24）から内気側流路（34）へ流入した第２空気は、第８ダンパ（48）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。つまり、第２吸着熱交換器（52）では再生動作が行われる。第２吸着熱交換器（52）で水分を付与された第２空気は、第２ダンパ（42）を通って排気側流路（31）へ流入し、排気ファン室（35）を通過後に排気口（21）を通って室外へ排出される。
【００５７】
〈加湿運転〉
加湿運転中の調湿装置（10）では、給気ファン（26）及び排気ファン（25）が運転される。給気ファン（26）を運転すると、室外空気が外気吸込口（23）からケーシング（11）内へ第２空気として取り込まれる。排気ファン（25）を運転すると、室内空気が内気吸込口（24）からケーシング（11）内へ第１空気として取り込まれる。また、加湿運転中の調湿装置（10）では、第１動作と第２動作とが所定の時間間隔（例えば３分間隔）で交互に繰り返される。
【００５８】
加湿運転時の第１動作について説明する。
【００５９】
この第１動作中の冷媒回路（50）では、図２(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【００６０】
図６に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００６１】
内気吸込口（24）から内気側流路（34）へ流入した第１空気は、第８ダンパ（48）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。つまり、第２吸着熱交換器（52）では吸着動作が行われる。第２吸着熱交換器（52）で水分を奪われた第１空気は、第２ダンパ（42）を通って排気側流路（31）へ流入し、排気ファン室（35）を通過後に排気口（21）を通って室外へ排出される。
【００６２】
一方、外気吸込口（23）から外気側流路（32）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。つまり、第１吸着熱交換器（51）では再生動作が行われる。第１吸着熱交換器（51）で加湿された第２空気は、第５ダンパ（45）を通って給気側流路（33）へ流入し、給気ファン室（36）を通過後に給気口（22）を通って室内へ供給される。
【００６３】
加湿運転時の第２動作について説明する。
【００６４】
この第２動作中の冷媒回路（50）では、図２(Ｂ)に示すように、四方切換弁（54）が第２状態に設定される。そして、この冷媒回路（50）では、除湿運転の第２動作中と同様に、第２吸着熱交換器（52）が凝縮器となって第１吸着熱交換器（51）が蒸発器となる。
【００６５】
図７に示すように、この第２動作中には、第１ダンパ（41）、第４ダンパ（44）、第６ダンパ（46）、及び第７ダンパ（47）が開状態となり、残りのダンパ（42,43,45,48）が閉状態となる。
【００６６】
内気吸込口（24）から内気側流路（34）へ流入した第１空気は、第７ダンパ（47）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。つまり、第１吸着熱交換器（51）では吸着動作が行われる。第１吸着熱交換器（51）で水分を奪われた第１空気は、第１ダンパ（41）を通って排気側流路（31）へ流入し、排気ファン室（35）を通過後に排気口（21）を通って室外へ排出される。
【００６７】
一方、外気吸込口（23）から外気側流路（32）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。つまり、第２吸着熱交換器（52）では再生動作が行われる。第２吸着熱交換器（52）で加湿された第２空気は、第６ダンパ（46）を通って給気側流路（33）へ流入し、給気ファン室（36）を通過後に給気口（22）を通って室内へ供給される。
【００６８】
−吸着熱交換器での冷媒と空気の流れ−
次に、上述した調湿装置（10）の各運転時における吸着熱交換器（51,52）の空気の流れと冷媒の流れとの関係について説明する。本実施形態の調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が正逆反転する。また、冷媒回路（50）の吸着熱交換器（51,52）が蒸発器となる場合と凝縮器となる場合とで該吸着熱交換器（51,52）を流通する冷媒の流れ方向が正逆反転する。
【００６９】
<除湿運転>
図８(Ａ)に示すように、上述した除湿運転時の吸着動作中には、第１動作時に室外空気が蒸発器となる第２吸着熱交換器（52）を流れて室内へ供給される一方、第２動作時に室外空気が蒸発器となる第１吸着熱交換器（51）を流れて室内へ供給される。蒸発器となる吸着熱交換器（51,52）では、冷媒が第２伝熱管部（58b）側から第１伝熱管部（58a）側に向かって流れる。室外空気は、第２伝熱管部（58b）側から第１伝熱管部（58a）側に流れて吸着熱交換器（51,52）を通過する。つまり、除湿運転時の吸着動作中の吸着熱交換器（51,52）では、室外空気が冷媒の上流側から下流側に向かって流れ、空気と冷媒とがいわゆる並行流となる。
【００７０】
図８(Ｂ)に示すように、上記除湿運転時の再生動作中には、第１動作時に室内空気が凝縮器となる第１吸着熱交換器（51）を流れて室外へ排出される一方、第２動作時に室内空気が凝縮器となる第２吸着熱交換器（52）を流れて室外へ排出される。凝縮器となる吸着熱交換器（51,52）では、冷媒が第１伝熱管部（58a）側から第２伝熱管部（58b）側に向かって流れる。室内空気は、第１伝熱管部（58a）側から第２伝熱管部（58b）側に流れて吸着熱交換器（51,52）を通過する。つまり、除湿運転時の再生動作中の吸着熱交換器（51,52）では、室内空気が冷媒の上流側から下流側に向かって流れ、空気と冷媒とがいわゆる並行流となる。
【００７１】
この除湿運転時には、吸着動作中に蒸発器となる吸着熱交換器（51,52）において、室外空気が冷媒の上流側から下流側に流れる。このため、吸着熱交換器（51,52）の空気流入端での室外空気と冷媒との温度差が大きくなる。その結果、吸着熱交換器（51,52）の空気流入端での冷媒の蒸発温度を空気の露点温度以下として水分を結露させ、この空気を除湿することが可能となる。なお、結露した水分は、吸着熱交換器（51,52）の下部に設けられる図示しないドレンパンに回収され、調湿装置（10）の外部に排出される。
【００７２】
<加湿運転>
図９(Ａ)に示すように、上記加湿運転時の吸着動作中には、第１動作時に室内空気が蒸発器となる第２吸着熱交換器（52）を流れて室外へ排出される一方、第２動作時に室内空気が蒸発器となる第１吸着熱交換器（51）を流れて室外へ排出される。蒸発器となる吸着熱交換器（51,52）では、冷媒が第２伝熱管部（58b）側から第１伝熱管部（58a）側に向かって流れる。室内空気は、第２伝熱管部（58b）側から第１伝熱管部（58a）側に流れて吸着熱交換器（51,52）を通過する。つまり、加湿運転時の吸着動作中の吸着熱交換器（51,52）では、室内空気が冷媒の上流側から下流側に向かって流れ、空気と冷媒とがいわゆる並行流となる。
【００７３】
図９(Ｂ)に示すように、上記加湿運転時の再生動作中には、第１動作時に室外空気が凝縮器となる第１吸着熱交換器（51）を流れて室内へ供給される一方、第２動作時に室外空気が凝縮器となる第２吸着熱交換器（52）を流れて室内へ供給される。凝縮器となる吸着熱交換器（51,52）では、冷媒が第１伝熱管部（58a）側から第２伝熱管部（58b）側に向かって流れる。室外空気は、第１伝熱管部（58a）側から第２伝熱管部（58b）側に流れて吸着熱交換器（51,52）を通過する。つまり、加湿運転時の再生動作中の吸着熱交換器（51,52）では、室外空気が冷媒の上流側から下流側に向かって流れ、空気と冷媒とがいわゆる並行流となる。
【００７４】
この加湿運転時には、再生動作中に凝縮器となる吸着熱交換器（51,52）において、室外空気が冷媒の上流側から下流側に流れる。このため、吸着熱交換器（51,52）の空気流入端に流れる冷媒の温度を比較的高温にすることができる。その結果、吸着熱交換器（51,52）の空気流入端で室外空気が効果的に昇温される。
【００７５】
−実施形態１の効果−
上記実施形態１では、加湿運転時の再生動作中に凝縮器となる吸着熱交換器（51,52）において、室外空気を冷媒の上流側から下流側に向かって流すようにしている。このため、吸着熱交換器（51,52）の空気流入端で空気を効果的に昇温することができる。このようにすると、例えば冬季に極端に低温の室外空気が吸着熱交換器（51,52）を通過する際にも、吸着熱交換器（51,52）の空気流入端で室外空気を比較的高い温度にすることができる。したがって、吸着熱交換器（51,52）の吸着剤表面で結露水が凍結してしまうのを未然に回避でき、それに起因する吸着剤の劣化や吸着剤を接合するバインダの劣化を防止できる。このため、吸着熱交換器（51,52）からの吸着剤の剥離を防ぐことができ、吸着熱交換器（51,52）の信頼性を向上させることができる。
【００７６】
また、上記実施形態１では、除湿運転時の吸着動作中に蒸発器となる吸着熱交換器（51,52）において、室外空気を冷媒の上流側から下流側に向かって流すようにしている。このため、吸着熱交換器（51,52）の空気流入端で空気中の水分を結露させ、この空気を除湿することができる。したがって、この調湿装置の除湿性能を向上させることができる。
【００７７】
《発明の実施形態２》
本発明の実施形態２について説明する。実施形態２の調湿装置（10）は、上記実施形態１と空気流路及び吸着熱交換器（51,52）の配置が異なるタイプのものである。以下には、上記実施形態１と異なる点について図１０を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００７８】
上記調湿装置（10）は、ケーシング（11）を備えている。また、ケーシング（11）内には、上記実施形態１と同様の冷媒回路（50）が収容されている。
【００７９】
上記ケーシング（11）は、やや扁平で高さが比較的低い直方体状に形成されている。このケーシング（11）では、図１０における前側に前面パネル（12）が、同図における奥側に背面パネル（13）がそれぞれ立設されている。実施形態２のケーシング（11）は、上記実施形態１と異なり、前後方向の幅と左右方向の幅とが略同一の長さとなっている。
【００８０】
ケーシング（11）の前面パネル（12）では、左寄りの位置に排気口（21）が、右寄りの位置に給気口（22）がそれぞれ開口している。ケーシング（11）の背面パネル（13）の中央部には、上側寄りの位置に外気吸込口（23）が、下側寄りの位置に内気吸込口（24）がそれぞれ開口している。
【００８１】
上記ケーシング（11）内における前面パネル（12）側には、上記実施形態１と同様にして、排気ファン室（35）及び給気ファン室（36）が形成されている。一方、上記ケーシング（11）の残りの空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）は上記背面パネル（13）側寄りに、第２仕切板（17）は上記前面パネル（12）側寄りにそれぞれ配置されている。
【００８２】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。内気側流路（34）は内気吸込口（24）を介して室内と連通している。一方、第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。      
【００８３】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００８４】
各吸着熱交換器（51,52）は、上記実施形態１と同様に構成されている（図３参照）。各吸着熱交換器（51,52）は、第１伝熱管部（58a）側が外気側流路（32）及び内気側流路（34）側に位置し、第２伝熱管部（58b）側が排気側流路（31）及び給気側流路（33）側に位置するように各熱交換器室（37,38）に立設されている。
【００８５】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００８６】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００８７】
−運転動作−
本実施形態の調湿装置（10）では、実施形態１と同様にして、除湿運転と加湿運転とが行われる。
【００８８】
〈除湿運転〉
除湿運転時の第１動作では、冷媒回路（50）の四方切換弁（54）が図２(Ａ)に示す第１状態に設定される。この状態の冷媒回路（50）では、第１吸着熱交換器（51）が凝縮器となって第２吸着熱交換器（52）が蒸発器となる。
【００８９】
図１１に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００９０】
室外空気は、第１空気として外気吸込口（23）から外気側流路（32）へ流入する。この第１空気は第２ダンパ（42）を通って第２熱交換器室（38）へ流入し、その後に第２吸着熱交換器（52）を通過する。この第２吸着熱交換器（52）では、上記実施形態１と同様に吸着動作が行われる。第２吸着熱交換器（52）で除湿された第１空気は、第８ダンパ（48）を通って給気側流路（33）へ流入し、給気ファン室（36）を通過後に給気口（22）を通って室内へ供給される。
【００９１】
室内空気は、第２空気として内気吸込口（24）から内気側流路（34）へ流入する。この第２空気は第３ダンパ（43）を通って第１熱交換器室（37）へ流入し、その後に第１吸着熱交換器（51）を通過する。この第１吸着熱交換器（51）では上記実施形態１と同様に再生動作が行われる。第１吸着熱交換器（51）で水分を付与された第２空気は、第５ダンパ（45）を通って排気側流路（31）へ流入し、排気ファン室（35）を通過後に排気口（21）を通って室外へ排出される。
【００９２】
除湿運転時の第２動作では、冷媒回路（50）の四方切換弁（54）が図２(Ｂ)に示す第２状態に設定される。この状態の冷媒回路（50）では、第２吸着熱交換器（52）が凝縮器となって第１吸着熱交換器（51）が蒸発器となる。
【００９３】
図１２に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００９４】
室外空気は、第１空気として外気吸込口（23）から外気側流路（32）へ流入する。この第１空気は第１ダンパ（41）を通って第１熱交換器室（37）へ流入し、その後に第１吸着熱交換器（51）を通過する。この第１吸着熱交換器（51）では吸着動作が行われる。第１吸着熱交換器（51）で除湿された第１空気は、第７ダンパ（45）を通って給気側流路（33）へ流入し、給気ファン室（36）を通過後に給気口（22）を通って室内へ供給される。
【００９５】
室内空気は、第２空気として内気吸込口（24）から内気側流路（34）へ流入する。この第２空気は、第４ダンパ（44）を通って第２熱交換器室（38）へ流入し、その後に第２吸着熱交換器（52）を通過する。この第２吸着熱交換器（52）では再生動作が行われる。第２吸着熱交換器（52）で水分を付与された第２空気は、第６ダンパ（46）を通って排気側流路（31）へ流入し、排気ファン室（35）を通過後に排気口（21）を通って室外へ排出される。
【００９６】
〈加湿運転〉
加湿運転時の第１動作では、冷媒回路（50）の四方切換弁（54）が図２(Ａ)に示す第１状態に設定される。この状態の冷媒回路（50）では、第１吸着熱交換器（51）が凝縮器となって第２吸着熱交換器（52）が蒸発器となる。
【００９７】
図１３に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００９８】
室外空気は、第２空気として外気吸込口（23）から外気側流路（32）へ流入する。この第２空気は第１ダンパ（41）を通って第１熱交換器室（37）へ流入し、その後に第１吸着熱交換器（51）を通過する。この第１吸着熱交換器（51）では吸着動作が行われる。第１吸着熱交換器（51）で除湿された第２空気は、第７ダンパ（47）を通って給気側流路（33）へ流入し、給気ファン室（36）を通過後に給気口（22）を通って室内へ供給される。
【００９９】
室内空気は、第１空気として内気吸込口（24）から内気側流路（34）へ流入する。この第１空気は第４ダンパ（44）を通って第２熱交換器室（38）へ流入し、その後に第２吸着熱交換器（52）を通過する。この第２吸着熱交換器（52）では再生動作が行われる。第２吸着熱交換器（52）で水分を付与された第１空気は、第６ダンパ（46）を通って排気側流路（31）へ流入し、排気ファン室（35）を通過後に排気口（21）を通って室外へ排出される。
【０１００】
除湿運転時の第２動作では、冷媒回路（50）の四方切換弁（54）が図２(Ｂ)に示す第２状態に設定される。この状態の冷媒回路（50）では、第２吸着熱交換器（52）が凝縮器となって第１吸着熱交換器（51）が蒸発器となる。
【０１０１】
図１４に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【０１０２】
室外空気は、第２空気として外気吸込口（23）から外気側流路（32）へ流入する。この第２空気は第２ダンパ（42）を通って第２熱交換器室（38）へ流入し、その後に第２吸着熱交換器（52）を通過する。この第２吸着熱交換器（52）では吸着動作が行われる。第２吸着熱交換器（52）で除湿された第２空気は、第８ダンパ（48）を通って給気側流路（33）へ流入し、給気ファン室（36）を通過後に給気口（22）を通って室内へ供給される。
【０１０３】
室内空気は、第１空気として内気吸込口（24）から内気側流路（34）へ流入する。この第１空気は、第３ダンパ（43）を通って第１熱交換器室（37）へ流入し、その後に第１吸着熱交換器（51）を通過する。この第１吸着熱交換器（51）では再生動作が行われる。第１吸着熱交換器（51）で水分を付与された第１空気は、第５ダンパ（45）を通って排気側流路（31）へ流入し、排気ファン室（35）を通過後に排気口（21）を通って室外へ排出される。
【０１０４】
−吸着熱交換器での冷媒と空気の流れ−
次に、実施形態２の調湿装置（10）の各運転時における吸着熱交換器（51,52）の空気の流れと冷媒の流れとの関係について説明する。本実施形態の調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が同じとなる。一方、冷媒回路（50）の吸着熱交換器（51,52）が蒸発器となる場合と凝縮器となる場合とで該吸着熱交換器（51,52）を流通する冷媒の流れ方向が正逆反転する。
【０１０５】
<除湿運転>
図１５(Ａ)に示すように、上記除湿運転時の吸着動作中において、蒸発器となる吸着熱交換器（51,52）では、冷媒が第２伝熱管部（58b）側から第１伝熱管部（58a）側に向かって流れる。一方、室外空気は、第１伝熱管部（58a）側から第２伝熱管部（58a）側に流れて吸着熱交換器（51,52）を通過する。つまり、除湿運転時の吸着動作中の吸着熱交換器（51,52）では、室外空気が冷媒の下流側から上流側に向かって流れ、空気と冷媒とがいわゆる対向流となる。
【０１０６】
図１５(Ｂ)に示すように、上記除湿運転時の再生動作中において、凝縮器となる吸着熱交換器（51,52）では、冷媒が第１伝熱管部（58a）側から第２伝熱管部（58b）側に向かって流れる。室内空気は、第１伝熱管部（58a）側から第２伝熱管部（58b）側に流れて吸着熱交換器（51,52）を通過する。つまり、除湿運転時の再生動作中の吸着熱交換器（51,52）では、空気が冷媒の上流側から下流側に向かって流れ、空気と冷媒とがいわゆる並行流となる。
【０１０７】
この除湿運転時には、吸着動作中の吸着熱交換器（51,52）において、室外空気が冷媒の下流側から上流側に流れる。このため、吸着熱交換器（51,52）における空気の上流端から下流端までの全域に亘って、空気と冷媒との温度差をある程度得ることができる。その結果、この吸着熱交換器（51,52）で空気が効果的に冷却される。
【０１０８】
<加湿運転>
図１６(Ａ)に示すように、上記加湿運転時の吸着動作中において、蒸発器となる吸着熱交換器（51,52）では、冷媒が第２伝熱管部（58b）側から第１伝熱管部（58a）側に向かって流れる。一方、室内空気は、第１伝熱管部（58a）側から第２伝熱管部（58b）側に流れて吸着熱交換器（51,52）を通過する。つまり、加湿運転時の吸着動作中の吸着熱交換器（51,52）では、空気が冷媒の下流側から上流側に向かって流れ、空気と冷媒とがいわゆる対向流となる。
【０１０９】
図１６(Ｂ)に示すように、上記加湿運転時の再生動作中において、凝縮器となる吸着熱交換器（51,52）では、冷媒が第１伝熱管部（58a）側から第２伝熱管部（58b）側に向かって流れる。室外空気は、第１伝熱管部（58a）側から第２伝熱管部（58b）側に流れて吸着熱交換器（51,52）を通過する。つまり、加湿運転時の再生動作中の吸着熱交換器（51,52）では、空気が冷媒の上流側から下流側に向かって流れ、空気と冷媒とがいわゆる並行流となる。
【０１１０】
この加湿運転時には、上記実施形態１と同様、再生動作中に凝縮器となる吸着熱交換器（51,52）において、室外空気が冷媒の上流側から下流側に流れる。このため、吸着熱交換器（51,52）の空気流入端には比較的高温の冷媒が流れる。その結果、吸着熱交換器（51,52）の空気流入端で室外空気が効果的に昇温される。
【０１１１】
−実施形態２の効果−
上記実施形態２では、上記実施形態１と同様、加湿運転時の再生動作中の吸着熱交換器（51,52）において、室外空気を冷媒の上流側から下流側に向かって流すようにしている。このため、吸着熱交換器（51,52）の空気流入端で空気を効果的に昇温することができる。したがって、吸着熱交換器（51,52）の吸着剤表面で結露水が凍結してしまうのを未然に回避できる。
【０１１２】
また、上記実施形態２では、除湿運転時の吸着動作中の吸着熱交換器（51,52）において、室外空気を冷媒の下流側から上流側に向かって流すようにしている。このため、吸着熱交換器（51,52）で空気を効果的に冷却することができる。したがって、例えば夏季の除湿運転時などにおいて、この調湿装置（10）で室内を効果的に冷房することができる。
【０１１３】
〈実施形態２の変形例〉
上記実施形態２の冷媒回路に換えて図１７に示す冷媒回路（50）を調湿装置（10）に適用してもよい。この変形例の冷媒回路（50）には、上記実施形態の各要素部品に加え、第２の四方切換弁（56）が接続されている。
【０１１４】
上記冷媒回路（50）において、圧縮機（53）は、その吐出側が第１四方切換弁（54）の第１のポートに、その吸入側が第２四方切換弁（56）の第２ポートにそれぞれ接続されている。第１吸着熱交換器（51）は、その一端が第１四方切換弁（54）の第３のポートに、その他端が第２四方切換弁（56）の第３ポートにそれぞれ接続している。第２吸着熱交換器（52）は、その一端が第１四方切換弁（54）の第４ポートに、その他端が第２四方切換弁（56）の第４ポートにそれぞれ接続している。また、第１四方切換弁（54）の第２ポートと、第２四方切換弁（56）の第１ポートとが電動膨張弁（55）を介して接続されている。
【０１１５】
これらの四方切換弁（54,56）は、各々の第１のポートと第３のポートが連通して第２のポートと第４のポートが連通する第１状態（図１７(Ａ)に示す状態）と、各々の第１のポートと第４のポートが連通して第２のポートと第３のポートが連通する第２状態（図１７(Ｂ)に示す状態）とに切り換え可能となっている。
【０１１６】
実施形態２の変形例の調湿装置（10）では、両四方切換弁（54,56）を第１状態と第２状態とに切り換えても各吸着熱交換器（51,52）を流通する冷媒の流れ方向が同一となる。つまり、この調湿装置（10）では、各吸着熱交換器（51,52）が蒸発器となる場合と凝縮器となる場合とで冷媒の流れ方向が同一となる。また、この調湿装置（10）では、室外空気が吸着熱交換器（51,52）に流入する場合と、室内空気が吸着熱交換器（51,52）に流入する場合とで、該吸着熱交換器（51,52）を通過する空気の流れ方向が同じとなる。
【０１１７】
したがって、除湿運転時の吸着熱交換器（51,52）では、図１８(Ａ)に示す吸着動作中と図１８(Ｂ)に示す再生動作中との双方で空気と冷媒とが並行流となる。また、加湿運転時の吸着熱交換器（51,52）では、図１９(Ａ)に示す吸着動作中と図１９(Ｂ)に示す再生動作中との双方で冷媒と空気とが並行流となる。
【０１１８】
このため、加湿運転時の再生動作中には、吸着熱交換器（51,52）の空気流入端で空気を効果的に加熱することができ、吸着熱交換器（51,52）の吸着剤表面で結露水が凍結してしまうのを未然に回避できる。また、除湿運転時の吸着動作中には、吸着熱交換器（51,52）の空気流入端で空気中の水分を結露させ、この調湿装置の除湿性能を向上させることができる。
【０１１９】
《その他の実施形態》
上記実施形態については、以下のような構成としてもよい。
【０１２０】
上記実施形態では、各熱交換器室（37,38）に一つの吸着熱交換器（51,52）をそれぞれ収納するようにしている。しかしながら、この熱交換器室に複数の吸着熱交換器を重ねて配列するようにしてもよい。図２０の例では、２つの吸着熱交換器を空気の流れ方向に２枚配列している。冷媒回路（50）の冷媒は、各吸着熱交換器（51,51）へ２手に分岐して流入し、各吸着熱交換器（51,51）を流出した後に再び合流する。このようにすると、例えば冷媒を各吸着熱交換器（51,51）へ直流で流す場合と比較して、配管内の圧力損失を低減することができる。
【０１２１】
また、図２０の例についても、例えば凝縮器となる各吸着熱交換器（51,51）における冷媒の上流側から下流側に向かって室外空気を流すことで、上流側に配置された吸着熱交換器（51）の空気流入端で室外空気を効果的に昇温することができる。したがって、各吸着熱交換器（51,51）で結露水が凍結してしまうことを未然に回避できる。
【０１２２】
なお、以上の実施形態は、本質的に好ましい例示であって、本発明、その適用物、あるいはその用途の範囲を制限することを意図するものではない。
【産業上の利用可能性】
【０１２３】
以上説明したように、本発明は、吸着熱交換器の吸着剤と空気とを接触させて吸着剤の再生動作を行う調湿装置について有用である。
【図面の簡単な説明】
【０１２４】
【図１】実施形態１の調湿装置の概略構成を示す平面視、右側面視、及び左側面視の構成図である。
【図２】実施形態１の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】除湿運転の第１動作中における空気の流れを示す調湿装置の概略構成図である。
【図５】除湿運転の第２動作中における空気の流れを示す調湿装置の概略構成図である。
【図６】加湿運転の第１動作中における空気の流れを示す調湿装置の概略構成図である。
【図７】加湿運転の第２動作中における空気の流れを示す調湿装置の概略構成図である。
【図８】実施形態１の除湿運転時の吸着熱交換器における空気と冷媒の流れの関係を示す概略構成図であって、(Ａ)は吸着動作中を示すものであり、(Ｂ)は再生動作中を示すものである。
【図９】実施形態１の加湿運転時の吸着熱交換器における空気と冷媒の流れの関係を示す概略構成図であって、(Ａ)は吸着動作中を示すものであり、(Ｂ)は再生動作中を示すものである。
【図１０】実施形態２の調湿装置の概略構成を示す平面視、右側面視、及び左側面視の構成図である。
【図１１】除湿運転の第１動作中における空気の流れを示す調湿装置の概略構成図である。
【図１２】除湿運転の第２動作中における空気の流れを示す調湿装置の概略構成図である。
【図１３】加湿運転の第１動作中における空気の流れを示す調湿装置の概略構成図である。
【図１４】加湿運転の第２動作中における空気の流れを示す調湿装置の概略構成図である。
【図１５】実施形態２の除湿運転時の吸着熱交換器における空気と冷媒の流れの関係を示す概略構成図であって、(Ａ)は吸着動作中を示すものであり、(Ｂ)は再生動作中を示すものである。
【図１６】実施形態２の加湿運転時の吸着熱交換器における空気と冷媒の流れの関係を示す概略構成図であって、(Ａ)は吸着動作中を示すものであり、(Ｂ)は再生動作中を示すものである。
【図１７】実施形態２の変形例の冷媒回路の構成を示す配管系統図であって、(Ａ)は第１動作中の動作を示すものであり、(Ｂ)は第２動作中の動作を示すものである。
【図１８】実施形態２の変形例の除湿運転時の吸着熱交換器における空気と冷媒の流れの関係を示す概略構成図であって、(Ａ)は吸着動作中を示すものであり、(Ｂ)は再生動作中を示すものである。
【図１９】実施形態２の変形例の加湿運転時の吸着熱交換器における空気と冷媒の流れの関係を示す概略構成図であって、(Ａ)は吸着動作中を示すものであり、(Ｂ)は再生動作中を示すものである。
【図２０】その他の実施形態の吸着熱交換器を示す概略構成図である。
【符号の説明】
【０１２５】
10     調湿装置
50     冷媒回路（熱媒体回路）
51,52  吸着熱交換器